(57)【要約】【課題】給湯圧が低く、給湯量も少ない等の使い勝手の悪さを改善することができ、構造が従来の貯湯式給湯器と比べて簡単であり、温水の流量及び圧力をさらに増加させることができる貯湯式給湯器を提供する。【解決手段】貯湯タンク１と、給水管２と、貯湯タンク１から出湯させる出湯管３と、給水管２と出湯管３とを接続するバイパス管４と、圧力逃し管６と、圧力逃し弁７と、給水管２に設けられた第１の減圧弁１１と、出湯管３に設けられた逆止弁１２と、バイパス管４の経路上に設けられた減圧弁１３と、出湯管３とバイパス管４との接続部に設けられた混合弁１４と、貯湯タンク１の中央部から温水を出湯させる出湯分岐管１５と、この出湯分岐管１５と出湯管３とを接続する第２の混合弁１６とにより構成し、混合弁１４より下流側の配管を混合配管１７とした。【選択図】図１
2010121827.tif 000002
【特許請求の範囲】
【請求項１】
水を加温し温水とする貯湯タンクと、この貯湯タンクに給水する給水管と、前記貯湯タンクから温水を出湯させる出湯管と、前記給水管と前記出湯管とを接続するバイパス管とを備え、
前記給水管の経路上の該給水管と前記バイパス管との分岐部より下流側に第１の減圧弁を設け、前記出湯管と前記バイパス管との接続部に混合弁を設けて該混合弁より下流側の経路を混合配管とし、前記出湯管の前記混合弁の上流側に逆止弁を設け、前記出湯管の前記逆止弁よりさらに上流側に該出湯管を分岐した出湯分岐管を設け、前記出湯管と前記出湯分岐管との接続部に第２の混合弁を設けたことを特徴とする貯湯式給湯器。
【請求項２】
前記第２の混合弁と前記逆止弁との間の前記出湯管に、該出湯管を分岐した第２の出湯分岐管を設け、該出湯分岐管の経路上には第２の逆止弁を設け、前記第２の出湯分岐管と前記混合配管との接続部に第３の混合弁を設けて該第３の混合弁より下流側の経路を第２の混合配管としたことを特徴とする請求項１記載の貯湯式給湯器。
【請求項３】
前記バイパス管の経路上に制御弁を設けたことを特徴とする請求項１または２記載の貯湯式給湯器。
【請求項４】
前記給水管の経路上の前記第１の減圧弁より下流側と、前記バイパス管の経路上の前記第２の減圧弁または前記制御弁の下流側とを、給水バイパス管にて接続し、この給水バイパス管の経路上または接続部に第３の逆止弁を設けたことを特徴とする請求項１ないし３のいずれか１項記載の貯湯式給湯器。
【発明の詳細な説明】
【技術分野】
【０００１】
本発明は、
本発明は、例えば電気貯湯式給湯器、ヒートポンプ式給湯器、太陽熱集熱式給湯器等のような貯湯式給湯器に関するものである。
【背景技術】
【０００２】
貯湯式給湯器は、貯湯タンクに貯留された水を、電気ヒータ、ヒートポンプ、太陽熱集熱器等により加温し、この温水を給水管からの水圧により出湯して給湯等に利用するものであり、これまでにも様々な構造の貯湯式給湯器が提案されている。
【０００３】
図５は、従来の貯湯式給湯器の一例を示す模式図であり、図において、１は水を加温し温水とする貯湯タンク、２は貯湯タンク１に水を給水する給水管、３は貯湯タンク１から温水を出湯させる出湯管、４は給水管２と出湯管３とを接続するバイパス管、５は給水管２の経路上の給水管２とバイパス管４との接続部より上流側に設けられた減圧弁、６は出湯管３に設けられた圧力逃し管、７は圧力逃し管６に設けられた圧力逃し弁である。
この貯湯式給湯器では、貯湯タンク１に水道からの水圧が直接かからないようにするために、給水管の最上流側に減圧弁５を設けている。
【０００４】
また、従来の貯湯式給湯器の他の例としては、上記の貯湯式給湯器のバイパス管を分岐し、この分岐管を水道水の直圧がかかった状態で貯湯タンク１の温水と間接的に熱交換されて加熱される間接熱交換器に接続し、この間接熱交換器にて加熱された直圧のかかった温水と、間接熱交換器で加熱されていない直圧のかかった水道水とを合流させて給湯する構造のものが提案されている（特許文献１）。
【特許文献１】特許第４０７３７４５号公報
【発明の開示】
【発明が解決しようとする課題】
【０００５】
ところで、従来の貯湯式給湯器においては、給水管により貯湯タンクに水を供給しようとする場合、給水管の最上流側に減圧弁を設けているために、この給水管内の水圧が減圧弁により減圧されてしまい、したがって、貯湯タンクから出湯される温水の流量及び圧力が低下するという問題点があった。
また、給水管として直圧がかかった水道水の配管を用いる型式の貯湯式給湯器においても、貯湯タンク内に間接熱交換器等を設けた構造であることから、構造的に複雑になるという問題点があった。
【０００６】
本発明は、上記の課題を解決するためになされたものであって、内部機器を保護するために水道水等の上水の水圧を減圧した場合であっても、給湯圧が低く、給湯量も少ない等の使い勝手の悪さを改善することができ、構造が従来の貯湯式給湯器と比べて簡単であり、しかも貯湯式給湯器から出湯される温水の流量及び圧力をさらに増加させることができる貯湯式給湯器を提供することを目的とする。
【課題を解決するための手段】
【０００７】
本発明は、以下の構成により、上記課題を解決するものである。
（１）水を加温し温水とする貯湯タンクと、この貯湯タンクに給水する給水管と、前記貯湯タンクから温水を出湯させる出湯管と、前記給水管と前記出湯管とを接続するバイパス管とを備え、
前記給水管の経路上の該給水管と前記バイパス管との分岐部より下流側に第１の減圧弁を設け、前記出湯管と前記バイパス管との接続部に混合弁を設けて該混合弁より下流側の経路を混合配管とし、前記出湯管の前記混合弁の上流側に逆止弁を設け、前記出湯管の前記逆止弁よりさらに上流側に該出湯管を分岐した出湯分岐管を設け、前記出湯管と前記出湯分岐管との接続部に第２の混合弁を設けたことを特徴とする貯湯式給湯器。
【０００８】
（２）（１）において、前記第２の混合弁と前記逆止弁との間の前記出湯管に、該出湯管を分岐した第２の出湯分岐管を設け、該出湯分岐管の経路上には第２の逆止弁を設け、前記第２の出湯分岐管と前記混合配管との接続部に第３の混合弁を設けて該第３の混合弁より下流側の経路を第２の混合配管としたことを特徴とする貯湯式給湯器。
【０００９】
（３）（１）または（２）において、前記バイパス管の経路上に制御弁を設けたことを特徴とする貯湯式給湯器。
【００１０】
（４）（１）ないし（３）のいずれかにおいて、前記給水管の経路上の前記第１の減圧弁より下流側と、前記バイパス管の経路上の前記第２の減圧弁または前記制御弁の下流側とを、給水バイパス管にて接続し、この給水バイパス管の経路上または接続部に第３の逆止弁を設けたことを特徴とする貯湯式給湯器。
【発明の効果】
【００１１】
本発明の貯湯式給湯器によれば、給水管の経路上の給水管とバイパス管との分岐部より下流側に第１の減圧弁を設け、出湯管とバイパス管との接続部に混合弁を設けて該混合弁より下流側の経路を混合配管とし、出湯管の混合弁の上流側に逆止弁を設け、出湯管の逆止弁よりさらに上流側に該出湯管を分岐した出湯分岐管を設け、出湯管と出湯分岐管との接続部に第２の混合弁を設けたので、給水管内の水の圧力をバイパス管内の水の圧力より高めることで、混合配管から出湯させる温水の流量及び圧力を増加させることができる。したがって、内部機器を保護するために水道水等の上水の水圧を減圧した場合であっても、給湯圧が低く、給湯量も少ない等の使い勝手の悪さを改善することができ、出湯される温水の流量及び圧力をさらに増加させることができる。
【００１２】
また、第２の混合弁を制御することにより、出湯管からの温水の出湯と、出湯分岐管からの温水の出湯とを、容易に切り替え、あるいは混合量を調整することができる。また、大量の温水を出湯する場合等、利用状況に合わせて所望の温度の温水を適量、出湯することができる。
【００１３】
また、第２の混合弁と逆止弁との間の出湯管に、該出湯管を分岐した第２の出湯分岐管を設け、この出湯分岐管の経路上には第２の逆止弁を設け、第２の出湯分岐管と混合配管との接続部に第３の混合弁を設けて該第３の混合弁より下流側の経路を第２の混合配管としたので、混合弁で予め予備混合をした状態で、さらに第３の混合弁に接続された第２の出湯分岐管からの高温のお湯と、予備混合された混合配管からのやや低温のお湯とを混合することで、第３の混合弁での混合割合を安定化させることができ、出湯する圧力も安定させることができる。
【００１４】
また、バイパス管の経路上に制御弁を設けたので、バイパス管からの温水の流量と、出湯管及び出湯分岐管のいずれか一方または双方からの温水の流量とのバランスをとり易くすることができる。したがって、給湯圧力や給湯温度の調整を容易に行うことができる。
【００１５】
また、給水管の経路上の第１の減圧弁より下流側と、バイパス管の経路上の第２の減圧弁または制御弁の下流側とを、給水バイパス管にて接続し、この給水バイパス管の経路上または接続部に第３の逆止弁を設けたので、バイパス管の第２の減圧弁または制御弁に不具合が生じた場合においても、この給水バイパス管により水を供給することで、出湯管からの高温の温水の温度を調整することができる。したがって、出湯管からお湯だけが出湯されるという危険性を防止することができる。
【発明を実施するための最良の形態】
【００１６】
本発明の貯湯式給湯器を実施するための最良の形態について、図面に基づき説明する。
なお、本形態は、発明の趣旨をより良く理解させるために具体的に説明するものであり、特に指定のない限り、本発明を限定するものではない。
【００１７】
「第１の実施形態」
図１は、本発明の第１の実施形態の貯湯式給湯器を示す模式図である。
この貯湯式給湯器は、内蔵された電気ヒータ、ヒートポンプ、太陽熱集熱器等を用いて水を加温し温水とする貯湯タンク１と、貯湯タンク１の底部に水道水等の上水を給水する給水管２と、貯湯タンク１の頂部から温水を出湯させる出湯管３と、給水管２と出湯管３とを接続するバイパス管４と、出湯管３に設けられた圧力逃し管６と、圧力逃し管６に設けられた圧力逃し弁７と、給水管２の経路上の給水管２とバイパス管４との接続部より下流側に設けられた第１の減圧弁１１と、出湯管３の経路上の出湯管３とバイパス管４との接続部より上流側に設けられ貯湯タンク１へ水圧が逆に加わるのを防止するための逆止弁１２と、バイパス管４の経路上に設けられた第２の減圧弁１３と、出湯管３とバイパス管４との接続部に設けられた混合弁１４と、貯湯タンク１の中央部に設けられ貯湯タンク１の中央部から温水を出湯させる第２の出湯管１５と、この第２の出湯管１５を出湯管３の逆止弁１２より上流側の経路上に接続する第２の混合弁１６とにより構成されている。
【００１８】
この第２の減圧弁１３の設定圧は、例えば、シャワーを使用したときに使用感が悪く感じないような水圧に設定する必要があるために、第１の減圧弁１１の設定圧以上とされている。
【００１９】
この貯湯式給湯器では、給水管２の最上流側には水道水等の上水の水圧が直接掛かっているが、バイパス管４に分岐した後には、第１の減圧弁１１により上水の水圧が減圧され、この水圧が減圧した状態で貯湯タンク１に供給される。この貯湯タンク１では、内蔵された電気ヒータ、ヒートポンプ、太陽熱集熱器等を用いて水を加温して所定の温度の温水とする。
一方、給水管２から分岐されたバイパス管４は、第２の減圧弁１３の設定圧が第１の減圧弁１１の設定圧以上とされていることにより、このバイパス管４内の水圧が貯湯タンク１内の水圧より高圧となる。この高圧の水は、バイパス管４と出湯管３との接続部で貯湯タンク１から取り出される低圧の温水と合流する。
【００２０】
また、出湯管３では、給水管２に第１の減圧弁１１が設けられていることから、その中を流れる温水の圧力が供給される上水の圧力より低圧になっている。一方、バイパス管４の経路上に設けられた第２の減圧弁１３の設定圧は第１の減圧弁１１の設定圧以上であるから、貯湯タンク１からの出湯管３とバイパス管４とでは圧力差が生じ、圧力が高いバイパス管４側から出湯管３を通って貯湯タンク1側へ逆流してしまう可能性がある。
ここでは、出湯管３の経路上の出湯管３とバイパス管４との接続部より上流側に逆止弁１２を設けているので、バイパス管４から送り出される高圧の水は逆止弁１２により貯湯タンク１への逆流が阻止され、貯湯タンク１へ水圧が逆に加わることを防止している。
【００２１】
この貯湯式給湯器によれば、給水管２の経路上の給水管２とバイパス管４との接続部より下流側に第１の減圧弁１１を設け、出湯管３の経路上の出湯管３とバイパス管４との接続部より上流側に貯湯タンク１へ水圧が逆に加わるのを防止するための逆止弁１２を設け、バイパス管４の経路上に第２の減圧弁１３を設け、この第２の減圧弁１３の設定圧を第１の減圧弁１１の設定圧以上としたので、出湯管３からの低圧の温水とバイパス管４からの高圧の水とを混合して給湯することにより温水の給湯圧を高めることができ、出湯管３から出湯させる温水の流量及び圧力を増加させることができる。したがって、内部機器を保護するために水道水等の上水の水圧を減圧した場合であっても、給湯圧が低くなったり、給湯量が少ない等の使い勝手の悪さを改善することができ、出湯される温水の流量及び圧力をさらに増加させることができる。
【００２２】
また、出湯管３の経路上の出湯管３とバイパス管４との接続部より上流側に逆止弁１２を設けたので、バイパス管４から送り出される高圧の水が出湯管３から貯湯タンク１へ逆流するのを防止することができる。
また、貯湯タンク１には第１の減圧弁１１で減圧された水圧のみが加わり、バイパス管４の第２の減圧弁１３の設定圧の水圧は出湯管３に設けられた逆止弁１２により貯湯タンク１に加わることがないので、貯湯タンク１の耐圧を上げる必要がなく、構造も従来の貯湯式給湯器と比べて簡単である。
【００２３】
なお、ここでは、第２の減圧弁１３をバイパス管４の経路上に設けたが、このバイパス管４の経路上の出湯管３との接続部近傍に設けてもよい。
【００２４】
さらに、この貯湯式給湯器によれば、第２の混合弁１６を制御することにより、出湯管３からの温水の出湯と、第２の出湯管１５からの温水の出湯とを容易に切り替えることが可能であるから、利用状況に合わせて出湯管３及び第２の出湯管１５のいずれか一方あるいは双方から、所望の温度の温水を使用に応じた最適な量で出湯することが可能である。
【００２５】
例えば、貯湯タンク１内の温水が満タンに近い場合には、出湯管３から出湯させればよく、貯湯タンク１内の温水が約半分程度と少ない場合には、第２の出湯管１５から出湯させればよい。また、短時間に大量の温水を出湯したい場合には、出湯管３及び第２の出湯管１５の双方から出湯させればよい。
【００２６】
「第２の実施形態」
図２は、本発明の第２の実施形態の貯湯式給湯器を示す模式図である。この図２では、図１と同一の構成要素には同一の符号を付し、詳細な説明を省略する。
【００２７】
この貯湯式給湯器は、貯湯タンク１の底部に水道水等の上水を給水する給水管２と、貯湯タンク１の頂部から温水を出湯させる出湯管３と、給水管２と出湯管３とを接続するバイパス管４と、出湯管３に設けられた圧力逃し管６と、圧力逃し管６に設けられた圧力逃し弁７と、給水管２の経路上の給水管２とバイパス管４との接続部より下流側に設けられた第１の減圧弁１１と、出湯管３の経路上の出湯管３とバイパス管４との接続部より上流側に設けられ貯湯タンク１へ水圧が逆に加わるのを防止するための逆止弁１２と、バイパス管４の経路上に設けられた第２の減圧弁１３と、出湯管３とバイパス管４との接続部に設けられた混合弁１４と、前記混合弁１４の下流側に設けた混合配管１７と、貯湯タンク１の中央部に設けられ貯湯タンク１の中央部から温水を出湯させる第２の出湯管１５と、この第２の出湯管１５を出湯管３の逆止弁１２より上流側の経路上に接続する第２の混合弁１６と、前記逆止弁１２と第２の混合弁との間から出湯管３を分岐した第２の出湯分岐管２１と、第２の出湯分岐管２１の経路上に設けた第２の逆止弁２２と、第２の出湯分岐管２１と混合配管１７を接続する第３の混合弁２３と、第３の混合弁２３の下流側に設けられた第３の混合配管２４により構成されている。
【００２８】
ここで、第２の減圧弁１３の設定圧は、例えば、シャワーを使用したときに使用感が悪く感じないような水圧に設定する必要があるために、第１の減圧弁１１の設定圧以上とされている。
【００２９】
この貯湯タンク１から出湯させる場合には、貯湯タンク１内のお湯の状況で第２の混合弁１６により出湯管３より出湯するか第２の出湯管１５から出湯するかが決定される。この場合、貯湯タンク１からは高温のお湯が出湯されるため、この下流側で第３の混合弁２３により水と混合し所望の温度とし出湯する。
【００３０】
ここで、給水管２がバイパス管４に分岐した下流側には第１の減圧弁１１により水圧が減圧した状態で貯湯タンク１に供給され、この貯湯タンク１には熱源にて加温された温水が貯留されている。
また、給水管２から分岐されたバイパス管４は、第２の減圧弁１３の設定圧が第１の減圧弁１１の設定圧以上とされていることで高圧の水となっているため、混合弁２１で混合する場合には、高温水と水との混合となり、さらには圧力差が生じている混合となるため、混合比率の調整が困難となる場合がある。
【００３１】
そこで、上記の構成のように、混合弁１４で予め予備混合をして中温の温水とした状態で混合配管１７を介し、第３の混合弁２３に接続し、さらに第３の混合弁には出湯管３から分岐した出湯分岐管２１が接続され、予備混合された混合配管１７からの中温のお湯と、出湯分岐管２１からの高温のお湯を混合することで、第３の混合弁２３での混合割合は安定し、出湯する圧力も安定することが可能となる。
なお、本構成においては混合弁を用いたが、この混合弁を三方弁あるいは温水が混合できるような制御弁等を用いた構成としてもよい。
【００３２】
「第３の実施形態」
図３は、本発明の第３の実施形態の貯湯式給湯器を示す模式図である。この図３では、図１ないし図２と同一の構成要素には同一の符号を付し、詳細な説明を省略する。
【００３３】
この貯湯式給湯器は、水を加温し温水とする貯湯タンク１と、貯湯タンク１の底部に水道水等の上水を給水する給水管２と、貯湯タンク１の頂部から温水を出湯させる出湯管３と、給水管２と出湯管３とを接続するバイパス管４と、出湯管３に設けられた圧力逃し管６と、圧力逃し管６に設けられた圧力逃し弁７と、給水管２の経路上の給水管２とバイパス管４との接続部より下流側に設けられた第１の減圧弁１１と、出湯管３の経路上の出湯管３とバイパス管４との接続部より上流側に設けられ貯湯タンク１へ水圧が逆に加わるのを防止するための逆止弁１２と、バイパス管４の経路上に設けられた第２の減圧弁１３と、出湯管３とバイパス管４との接続部に設けられた混合弁１４と、貯湯タンク１の中央部に設けられ貯湯タンク１の中央部から温水を出湯させる第２の出湯管１５と、この第２の出湯管１５を出湯管３の逆止弁１２より上流側の経路上に接続する第２の混合弁１６と、バイパス管４の経路上の第２の減圧弁１３の下流側に設けられた流量調整弁（制御弁）３１とにより構成されている。
【００３４】
この第２の減圧弁１３の設定圧は、例えば、シャワーを使用したときに使用感が悪く感じないような水圧に設定する必要があるために、第１の減圧弁１１の設定圧以上とされている。
【００３５】
この流量調整弁３１は、バイパス管４からの水の流量と、出湯管３及び第２の出湯管１５からの温水の流量とのバランスをとるための装置である。
この貯湯式給湯器では、第２の減圧弁１３の設定圧を、シャワーを使用したときに使用感が悪く感じないような設定圧にしているので、バイパス管４側は出湯管３及び第２の出湯管１５側に比べて設定圧が高い。この場合、水道水の水圧が異常に高くなったり、あるいは異常に低くなったりすると、双方の圧力や流量のバランスがとり難くなり、給湯圧力や給湯温度の調整が困難になる可能性がある。
そこで、バイパス管４の経路上の第２の減圧弁１３の下流側に流量調整弁３１を設けることにより、バイパス管４からの温水の流量と、出湯管３及び第２の出湯管１５からの温水の流量とのバランスをとり易くし、給湯圧力や給湯温度の調整を容易にしている。
【００３６】
「第４の実施形態」
図４は、本発明の第４の実施形態の貯湯式給湯器を示す模式図である。この図４では、図１ないし図３と同一の構成要素には同一の符号を付し、詳細な説明を省略する。
【００３７】
この貯湯式給湯器は、水を加温し温水とする貯湯タンク１と、貯湯タンク１の底部に水道水等の上水を給水する給水管２と、貯湯タンク１の頂部から温水を出湯させる出湯管３と、給水管２と出湯管３とを接続するバイパス管４と、出湯管３に設けられた圧力逃し管６と、圧力逃し管６に設けられた圧力逃し弁７と、給水管２の経路上の給水管２とバイパス管４との分岐部より下流側に設けられた第１の減圧弁１１と、出湯管３の経路上の出湯管３とバイパス管４との接続部より上流側に設けられ貯湯タンク１へ水圧が逆に加わるのを防止するための逆止弁１２と、バイパス管４の経路上に設けられた第２の減圧弁１３と、出湯管３とバイパス管４との接続部に設けられた混合弁１４と、貯湯タンク１の中央部に設けられ貯湯タンク１の中央部から温水を出湯させる第２の出湯管１５と、この第２の出湯管１５を出湯管３の逆止弁１２より上流側の経路上に接続する第２の混合弁１６と、バイパス管４の経路上の第２の減圧弁１３の下流側に設けられた流量調整弁（制御弁）３１と、給水管２の経路上の第１の減圧弁１１より下流側とバイパス管４の経路上の第２の減圧弁１３及び流量調整弁４１の下流側とを接続する給水バイパス管４１と、この給水バイパス管４１の経路上に設けられた逆流防止用の第３の逆止弁４２とにより構成されている。
【００３８】
この第２の減圧弁１３の設定圧は、例えば、シャワーを使用したときに使用感が悪く感じないような水圧に設定する必要があるために、第１の減圧弁１１の設定圧以上とされている。
【００３９】
給水バイパス管４１は、バイパス管４の第２の減圧弁１３及び流量調整弁３１を含む経路上に対してバイパスの役割を有する管である。
このバイパス管４に設けられた第２の減圧弁１３及び流量調整弁３１のうちのいずれか一方に不具合が生じると、バイパス管４からの給水が阻害されるために、混合弁１４では出湯管３からの高温の温水のみが出湯されてしまい、使用者が火傷等を負う危険性がある。
【００４０】
そこで、第２の減圧弁１３及び流量調整弁３１に対して給水バイパス管４１を設けることで、第２の減圧弁１３及び流量調整弁３１のうちのいずれか一方に不具合が生じた場合においても、この給水バイパス管４１により混合弁１４に対して水を供給し、出湯管３からの高温の温水の温度を調整し、出湯管３からお湯だけが出湯されるという危険性を防止している。
【００４１】
この貯湯式給湯器によれば、第３の実施形態の貯湯式給湯器と全く同様の効果を奏することができる。
しかも、給水管２の経路上の第１の減圧弁１１より下流側とバイパス管４の経路上の第２の減圧弁１３及び流量調整弁３１の下流側とを給水バイパス管４１により接続し、この給水バイパス管４１の経路上に逆流防止用の第３の逆止弁４２を設けたので、バイパス管４の第２の減圧弁１３及び流量調整弁３１のうちのいずれか一方に不具合が生じた場合においても、この給水バイパス管４１により混合弁２１を介して水を供給することで、出湯管３からの高温の温水の温度を調整することができ、出湯管３からお湯だけが出湯されるという危険性を防止することができる。
【図面の簡単な説明】
【００４２】
【図１】本発明の第１の実施形態の貯湯式給湯器を示す模式図である。
【図２】本発明の第２の実施形態の貯湯式給湯器を示す模式図である。
【図３】本発明の第３の実施形態の貯湯式給湯器を示す模式図である。
【図４】本発明の第４の実施形態の貯湯式給湯器を示す模式図である。
【図５】従来の貯湯式給湯器の一例を示す模式図である。
【符号の説明】
【００４３】
１…貯湯タンク、２…給水管、３…出湯管、４…バイパス管、５…減圧弁、６…圧力逃し管、７…圧力逃し弁、１１…第１の減圧弁、１２…逆止弁、１３…第２の減圧弁、１４…混合弁、１５…出湯分岐管、１６…第２の混合弁、１７…混合配管、２１…第２の出湯分岐管、２２…第２の逆止弁、２３…第３の混合弁、２４…第２の混合配管、３１…流量調整弁、４１…給水バイパス管、４２…第２の逆止弁
【図１】
2010121827.tif 000003
【図２】
2010121827.tif 000004
【図３】
2010121827.tif 000005
【図４】
2010121827.tif 000006
【図５】
2010121827.tif 000007